(57)【要約】【課題】液晶画面の汚れを除去することができると共に、液晶画面に汚れが付かないようにして、液晶画面を常に光沢がでて美しい状態を保つことができる電解水クリーナーを提供する。【解決手段】電解水クリーナー１は、強アルカリ性電解水を主成分とし、水ガラス及びアルコールを含む洗浄液４を収納する容器２と、容器２に取り付けられ、洗浄液４を噴霧する手動スプレーポンプ３と、を備えた。洗浄液４は、強アルカリ性電解水を９３．０〜９７．０重量％、水ガラスを１．０〜２．０重量％、アルコールを２．０〜５．０重量％の割合で含む。【選択図】図１
0003180147.tif 000002
【実用新案登録請求の範囲】
【請求項１】
強アルカリ性電解水を主成分とし、水ガラス及びアルコールを含む洗浄液（４）を収納する容器（２）と、
前記容器に取り付けられ、前記洗浄液を噴霧する噴霧部（３）と、
を備えたことを特徴とする電解水クリーナー。
【請求項２】
前記洗浄液は、前記強アルカリ性電解水を９３．０〜９７．０重量％、前記水ガラスを１．０〜２．０重量％、前記アルコールを２．０〜５．０重量％の割合で含むことを特徴とする請求項１に記載の電解水クリーナー。
【請求項３】
前記強アルカリ性電解水は、ｐＨ１１．０〜１２．５であることを特徴とする請求項１または２に記載の電解水クリーナー。
【請求項４】
前記容器は、上側には前記噴霧部を取り付ける開口部を有し、下側には閉じた底部を有する透明または半透明な円筒状の容器よりなることを特徴とする請求項１ないし３のいずれか１項に記載の電解水クリーナー。
【考案の詳細な説明】
【技術分野】
【０００１】
本考案は、電解水クリーナーに係り、特に、モバイルツール等の液晶画面の汚れを取り除いてきれいにするための電解水クリーナーに関する。
【背景技術】
【０００２】
モバイルツール（携帯電話機、スマートフォン、タブレット型端末、小型ゲーム機等）の液晶画面は、例えば、手指や耳等の皮膚に触れるため、皮脂や化粧品等が付着することにより汚れることが多く、特に液晶画面が汚れるとメール等の文字が見え難くなったり、不衛生であったりする問題がある。このような液晶画面の汚れを拭くために、例えば、実用新案登録第３１５５９２８号公報や実用新案登録第３１２４４４０号公報に示されているような、ストラップ型クリーナーが提案されている。このストラップ型クリーナーは、ストラップに液晶画面を拭ける植物繊維や起毛素材等の布地を設けたものである。
【０００３】
また、汚れた液晶画面をきれいにするのに、例えば、極細繊維等を用いた汚れ取り用生地（クリーニングクロス）に、エタノールなどのアルコールを主成分とする洗浄液を染み込ませてから、液晶画面の汚れを拭き取っていた。あるいは、ラウリル硫酸アンモニウムなどの界面活性剤を含む洗浄液を、皮脂などの油分で汚れた液晶画面に吹きかけてから、クリーニングクロスで油汚れを拭き取っていた。
【先行技術文献】
【特許文献】
【０００４】
【特許文献１】実用新案登録第３１５５９２８号公報
【特許文献２】実用新案登録第３１２４４４０号公報
【考案の概要】
【考案が解決しようとする課題】
【０００５】
しかしながら、上記した特許文献１のストラップ型クリーナーの布地では、液晶画面に付着した皮脂や化粧品等の汚れをきれいに拭き取ることができない。また、上記したアルコールを主成分とする洗浄液や界面活性剤を含む洗浄液を使えば、皮脂や化粧品等の汚れも拭き取ることができるが、液晶画面の汚れを拭き取ったモバイルツールを使用すると、直ぐにまた、皮脂や化粧品等で液晶画面が汚れてしまい、その度に同様に液晶画面の汚れを拭き取ることが必要であった。
【０００６】
本考案は、上述した課題を解決するものであり、その目的は、液晶画面の汚れを除去することができると共に、液晶画面に汚れが付かないようにして、液晶画面を常に光沢がでて美しい状態を保つことができる電解水クリーナーを提供する。
【課題を解決するための手段】
【０００７】
上記目的を達成するため、第１の観点では、本考案は、強アルカリ性電解水を主成分とし、水ガラス及びアルコールを含む洗浄液（４）を収納する容器（２）と、前記容器に取り付けられ、前記洗浄液を噴霧する噴霧部（３）と、を備えたことを特徴とする電解水クリーナーを提供する。
【０００８】
上記第１の観点による電解水クリーナーでは、液晶画面の汚れを除去することができると共に、液晶画面に汚れが付かないようにして、液晶画面を常に光沢がでて美しい状態を保つことができる。
【０００９】
第２の観点では、本考案は、前記第１の観点による電解水クリーナーにおいて、前記洗浄液は、前記強アルカリ性電解水を９３．０〜９７．０重量％、前記水ガラスを１．０〜２．０重量％、前記アルコールを２．０〜５．０重量％の割合で含むことを特徴とする。これにより、強アルカリ性電解水による脱脂効果により、液晶画面の表面に付着した皮脂などの油分を分解して液晶画面の油分による汚れを除去することができ、また、水ガラスが液晶画面の表面に付着して保護することで、新たな汚れが付着しないように表面を保護することができる。
【００１０】
第３の観点では、本考案は、前記第１または前記第２の観点による電解水クリーナーにおいて、前記強アルカリ性電解水は、ｐＨ１１．０〜１２．５であることを特徴とする。これにより、ｐＨ１１．０〜１２．５というようにｐＨ値の高い強アルカリ性電解水による優れた脱脂効果により、皮脂などの油分を強力に分解して、油分汚れを拭き取り易くすることができる。
【００１１】
第４の観点では、本考案は、前記第１から前記第３のいずれかの観点による電解水クリーナーにおいて、前記容器は、上側には前記噴霧部を取り付ける開口部を有し、下側には閉じた底部を有する透明または半透明な円筒状の容器よりなることを特徴とする。これにより、容器内の洗浄液の残量を外部から目視で確認することができる。
【考案の効果】
【００１２】
本考案の電解水クリーナーによれば、液晶画面の汚れを除去することができると共に、液晶画面に汚れが付かないようにして、液晶画面を常に光沢がでて美しい状態を保つことができる。
【図面の簡単な説明】
【００１３】
【図１】本考案の一実施形態に係る電解水クリーナーの正面図である。
【図２】本考案の一実施形態に係る電解水クリーナーの破断側面図である。
【図３】洗浄液生成装置の構成の一例を示す図である。
【考案を実施するための形態】
【００１４】
以下、添付図面を参照しながら本考案の一実施の形態について詳細に説明する。なお、本考案の実施形態における構成要素は適宜、既存の構成要素等との置き換えが可能であり、また、他の既存の構成要素との組合せを含む様々なバリエーションが可能である。したがって、本考案の実施形態の記載をもって、実用新案登録請求の範囲に記載された考案の内容を限定するものではない。
【００１５】
図１は本考案の一実施形態に係る電解水クリーナーの正面図、図２は同電解水クリーナーの破断側面図である。
【００１６】
図１及び図２に示す電解水クリーナー１において、２は透明な樹脂材で構成した略円筒状の容器であって、この容器２は、上側には円筒状の開口部２ａを有し、下側は閉じた底部２ｂを有する。そして、開口部２ａには、噴霧部である手動スプレーポンプ３を取り付ける。
ここで、筒状の開口部２ａの外周にはネジ山を設け、このネジ山に螺合するように手動スプレーポンプ３側にもネジ山を設け、ネジ山同士が螺合するように手動スプレーポンプ３を開口部２ａに取り付ける。
【００１７】
手動スプレーポンプ３は、下側に垂直に延びるノズル３ａを有し、このノズル３ａの下端の開口には、容器２内を底部２ｂまで延びるパイプ３ｂを接続する。また、手動スプレーポンプ３の上端部には噴霧口３ｃが開口している。そして、手動スプレーポンプ３は、ポンプ機能を内蔵し、上端部の頭頂面３ｄに力を加えて押し下げることでポンプ機能が作動し、パイプ３ｂの下端開口から吸引した洗浄液４を噴出口３ｃから霧状にして外部に噴射するようになっている。
【００１８】
また、容器２内には洗浄液４を収納している。この洗浄液４は、強アルカリ性電解水を主成分とし、水ガラス及びアルコールを含み、強アルカリ性電解水を９３．０〜９７．０重量％、水ガラスを１．０〜２．０重量％、アルコールを２．０〜５．０重量％の割合で混合した溶液である。
【００１９】
強アルカリ性電解水は、ｐＨ１１．０〜１２．５のｐＨ値の電解水（アルカリ水）で、後で図３に示す洗浄液生成装置と共に詳述もするように、水を電気分解して生成したものである。
【００２０】
水ガラスは、ケイ酸ナトリウム（Ｎａ2ＳｉＯ3）の水溶液であり、ここでは、アモリファスシリカ（ＳｉＯ2）と水（Ｈ2Ｏ）が２０（％）対８０（％）の割合で混合した溶液に、更に、微量の酸化ナトリウム（Ｎａ2Ｏ）を混合した溶液である。
例えば、日産化学工業株式会社製の「スノーテックスＣ」（登録商標）を使用し、その組成は次のとおりである。
（１）比重（２０℃）                  ・・・  １．１２０〜１．１４０
（２）ｐＨ値（２０℃）                ・・・  ８．５〜９．０
（３）粘度（２５℃）                  ・・・  １．０〜１０．０［ｍＰａ・ｓ］
（４）アモリファスシリカ（ＳｉＯ2）    ・・・  ２０．０〜２１．０［％］
（５）酸化ナトリウム（Ｎａ2Ｏ）（滴）  ・・・  ２０００以下［ｐｐｍ］
【００２１】
アルコールは、例えば、エチルアルコール（エタノール）などの消毒効果のある揮発性の液体を使用する。
【００２２】
以上のように構成された電解水クリーナー１において、人指し指などで、手動スプレーポンプ３の頭頂部３ｄを押し下げて、手動スプレーポンプ３のポンプ機能を作動させると、容器２内の洗浄水が手動スプレーポンプ３のパイプ３ｂの下端開口から吸入されてパイプ３ｂを通ってノズル３ａへと直接吸引されて噴霧口３ｃから外部に霧状に噴射され、被洗浄物である液晶画面に霧状の洗浄液４が噴霧塗布される。そして、洗浄液４が噴霧塗布された液晶画面を、極細繊維等を用いた汚れ取り用生地（クリーニングクロス）等で数回拭くことで、液晶画面の汚れを拭き取ることができ、液晶画面をきれいにすることができる。
【００２３】
この時、液晶画面に噴霧塗布された洗浄液４に含まれるアルカリ性の電解水（ｐＨ１１．０〜１２．５）による脱脂効果により、液晶画面の表面に付着した皮脂などの油分を分解するので、液晶画面の油分による汚れを除去することができる。また、洗浄液４に含まれる水ガラスが液晶画面の表面に付着して保護するので、新たな汚れが付着しないように表面を保護することができ、その結果、液晶画面を常に光沢がでて美しい状態を保つことができる。
【００２４】
また、本実施の形態では、容器２を透明な樹脂材で構成したため、容器２内の洗浄液４の残量を外部から目視で確認することができる。
【００２５】
＜洗浄液の生成方法＞
次に、本考案の電解水クリーナーに使用する洗浄液の生成方法について、以下に説明する。
【００２６】
図３は洗浄液生成装置１０の構成の一例を示す図である。
図３において、１１は電解槽で、この電解槽１１は陽イオン交換膜１２で陰極室１３と陽極室１４に仕切られ、その両室１３，１４内には一対の電極板（陰極板，陽極板）１５，１６を設ける。なお、電極板１５，１６は、両室１３，１４の内壁近く、あるいは内壁と一体に設けてもよい。電極板１５，１６は、通常、チタン合金に白金をメッキしたものを使用する。
【００２７】
陽極室１４には、原水給水管１７を接続し、この原水給水管１７を通って水道水や純水等の原水（Ｈ2Ｏ）が供給される。また、陽極室１４には、炭酸カリウム溶液給水管１８を接続し、この炭酸カリウム溶液給水管１８を通って、水道水または純水等に１０％の炭酸カリウム（Ｋ2ＣＯ3）を溶かした炭酸カリウム溶液が供給される。更に、陽極室１４内には、陽極室１４内の溶液を撹拌するための撹拌プロペラ１９を設ける。
一方、陰極室１３には、原水給水管２０を接続し、この原水給水管２０を通って水道水や純水等の原水（Ｈ2Ｏ）が供給される。なお、原水給水管１７，２０には同じ水源からの原水が供給されてもよい。
【００２８】
２１はアルカリ水貯水タンクで、このアルカリ水貯水タンク２１と陰極室１３の間にはアルカリ水排水管２２を接続し、このアルカリ水排水管２２を通って陰極室１３内で生成され排出されたアルカリ水（アルカリ性の電解水）がアルカリ水貯水タンク２１に供給され、貯水される。
【００２９】
２３は溶液混合タンクで、この溶液混合タンク２３とアルカリ水貯水タンク２１の間には、アルカリ水供給用ポンプ２４を備えたアルカリ水給水管２５を接続し、このアルカリ水給水管２５を通ってアルカリ水貯水タンク２１内のアルカリ水が溶液混合タンク２３に供給される。
【００３０】
２６は添加溶液貯水タンクで、この添加溶液貯水タンク２６には、水ガラスとエタノールが、例えば、１対２の割合で混合された添加溶液が貯水される。添加溶液貯水タンク２６と溶液混合タンク２３の間には、添加溶液供給用ポンプ２７を備えた添加溶液給水管２８を接続し、この添加溶液給水管２８を通って添加溶液貯水タンク２６内の添加溶液（水ガラスとエタノールの混合液）が溶液混合タンク２３に供給される。更に、溶液混合タンク２３には、溶液混合タンク２３内の溶液を撹拌するための撹拌プロペラ２９を設ける。
【００３１】
そして、溶液混合タンク２３には洗浄液排水管３０を接続し、この洗浄液排水管３０を通って溶液混合タンク２３内で撹拌混合されて生成された洗浄液を、洗浄液貯水タンク（図示せず）へ供給する。
【００３２】
直流電源装置３１は、交流（ＡＣ）入力を直流に変換して直流電圧を出力する。直流電源装置３１のマイナス電極（−）は陰極板１５に接続し、プラス電極（＋）は陽極板１６に接続し、それぞれマイナス電圧とプラス電圧が印加される。
【００３３】
制御システム３２は、直流電源装置３１に接続して、直流電源装置３１の出力制御を行い、電気分解の開始や停止を制御すると共に、電気分解の処理時間を可変制御し、更に、電解槽１１内の原水及び炭酸カリウム溶液に流す直流電流の総量を可変制御する。
【００３４】
このような構成の洗浄液生成装置において、陰極室１３に原水給水管２０から原水（Ｈ2Ｏ）が供給され、また、陽極室１４に原水給水路１７から原水（Ｈ2Ｏ）が供給されると共に、炭酸カリウム溶液給水管１８から炭酸カリウム溶液（Ｋ2ＣＯ3）が供給された状態において、直流電源装置３１により、陰極板１５がマイナスで、陽極板１６がプラスになるように直流電圧を印加し、同時に撹拌プロペラ１９を動作させると、陰極室１３を通水する原水に直流電流が流れ、電気分解が開始される。
【００３５】
電気分解が開始されると、陰極室１３内でアルカリ水（アルカリ性の電解水）が生成され、生成されたアルカリ水がアルカリ水排水管２２を通ってアルカリ水貯水タンク２１に供給され、貯水される。
陰極室１３内で生成されるアルカリ水のｐＨ値は、電気分解が開始されてから直流電源装置３１により印可される直流電圧の印加時間（すなわち、電気分解の処理時間）や炭酸カリウム溶液給水管１８から供給される炭酸カリウム溶液の供給量（濃度）を調整することにより、ｐＨ１１．０〜１２．５にすることができる。
【００３６】
アルカリ水貯水タンク２１に貯水されたアルカリ水は、アルカリ水供給用ポンプ２４を動作されることにより、アルカリ水給水管２５を通って溶液混合タンク２３に供給される。また、添加溶液貯水タンク２６に貯水された添加溶液（水ガラスとエタノールの混合液）は、添加溶液供給用ポンプ２７を動作させることにより、添加溶液給水管２８を通って溶液混合タンク２３に供給される。
【００３７】
溶液混合タンク２３へのアルカリ水と添加溶液（水ガラスとエタノールの混合液）の供給量は、アルカリ水が９３．０〜９７．０重量％、添加溶液（水ガラスとエタノールの混合液）が３．０〜７．０重量％の割合となるように供給する。そして、溶液混合タンク２３内では、撹拌プロペラ２９を動作させることにより、アルカリ水と添加溶液（水ガラスとエタノールの混合液）を撹拌して混合する。この混合して生成された溶液が洗浄液となる。
溶液混合タンク２３で生成された洗浄液は、洗浄液排水管３０を通って図示しない洗浄液貯水タンクへ供給し、貯水する。
【００３８】
以上のようにして、図３に示す洗浄液生成装置において、原水を電気分解してアルカリ水（アルカリ性の電解水）を生成し、生成されたアルカリ水に添加溶液（水ガラスとエタノールの混合液）を添加混合することにより、洗浄液を生成することができる。
【００３９】
上記したように、本考案の電解水クリーナーは、洗浄液４に含まれるアルカリ性の電解水（ｐＨ１１．０〜１２．５）による脱脂効果により、液晶画面の表面に付着した皮脂などの油分を分解するので、液晶画面の油分による汚れを除去することができる。また、洗浄液４に含まれる水ガラスが液晶画面の表面に付着して保護するので、新たな汚れが付着しないように表面を保護することができる。これにより、液晶画面の汚れを除去することができると共に、液晶画面に汚れが付かないようにして、液晶画面を常に光沢がでて美しい状態を保つことができる。
【００４０】
以上、本考案の一実施の形態について説明したが、本考案は上述の実施の形態に限定されず、その要旨を逸脱しない限りにおいて種々の変更が可能である。
例えば、容器２は、上述した実施形態のように、透明な樹脂材で構成した略円筒状の容器に限らず、半透明な樹脂材で構成してもよい。また、容器の形状も、例えば上から下に向かって徐々に径が大きくなるような略円錐状の容器など、その他の形状にしてもよい。
【産業上の利用可能性】
【００４１】
本考案に係る電解水クリーナーは、液晶画面の汚れを取り除いてきれいにするためのクリーニングスプレーとして有用である。
【符号の説明】
【００４２】
１  電解水クリーナー
２  容器
２ａ  開口部
２ｂ  底部
３  手動スプレーポンプ（噴霧部）
３ａ  ノズル
３ｂ  パイプ
３ｃ  噴霧口
３ｄ  頭頂面
４  洗浄液
１０  洗浄液生成装置
１１  電解槽
１２  陽イオン交換膜
１３  陰極室
１４  陽極室
１５  電極板（陰極板）
１６  電極板（陽極板）
１７，２０  原水給水管
１８  炭酸カリウム溶液給水管
１９，２９  撹拌プロペラ
２１  アルカリ水貯水タンク
２２  アルカリ水排水管
２３  溶液混合タンク
２４  アルカリ水供給用ポンプ
２５  アルカリ水給水管
２６  添加溶液貯水タンク
２７  添加溶液供給用ポンプ
２８  添加溶液給水管
３０  洗浄液排水管
３１  直流電源装置
３２  制御システム
【図３】
0003180147.tif 000003
【図１】
0003180147.tif 000004
【図２】
0003180147.tif 000005